(57)【要約】【課題】視覚を通じて提供される情報量の変化レベルに基づいて、直接的に且つ直感的に、ユーザが所望する再生箇所を指定することができる情報再生装置を提供する。【解決手段】コンテンツデータの再生経過を表す再生経過軸を表示する表示部５０２と、コンテンツデータの再生経過に伴う情報量の変化を表示部に表示させる表示制御部２２２と、コンテンツデータの再生時刻を指定するための接触式の操作部であって、再生経過軸の一端部の位置に当該操作部の一端部の位置が対応し、且つ再生経過軸の他端部の位置に当該操作部の他端部の位置が対応するように設けられた操作部ＴＤと、接触された操作部ＴＤの位置に基づいてコンテンツデータの再生時刻を特定し、当該特定された再生時刻からコンテンツデータの再生を行う再生時刻特定部５０１と、を備える。【選択図】図９
2010033709.tif 000002
【特許請求の範囲】
【請求項１】
コンテンツデータの再生経過を表す再生経過軸を表示する表示手段と、
前記コンテンツデータの再生経過に伴う情報量の変化を前記表示部に表示させる表示制御手段と、
前記コンテンツデータの再生時刻を指定するための接触式の操作部であって、前記再生経過軸の一端部の位置に当該操作部の一端部の位置が対応し、且つ前記再生経過軸の他端部の位置に当該操作部の他端部の位置が対応するように設けられた操作部と、
接触された前記操作部の位置に基づいて前記コンテンツデータの特徴に応じた再生時刻を特定し、当該特定された再生時刻から前記コンテンツデータの再生を行う再生制御手段と、
を備えることを特徴とする情報再生装置。
【請求項２】
請求項１に記載の情報再生装置において、
前記表示手段は、前記再生経過軸に垂直で且つ前記再生経過に伴う前記情報量の変化を表す変化軸を、当該再生経過軸と共に表示することを特徴とする情報再生装置。
【請求項３】
請求項２に記載の情報再生装置において、
前記コンテンツデータは楽曲データであり、
前記情報量は、当該楽曲データにおけるビート密度であることを特徴とする情報再生装置。
【請求項４】
請求項１に記載の情報再生装置において、
前記コンテンツデータは動画像データであり、
前記情報量の変化は当該動画像データに相当する動画像における変化であることを特徴とする情報再生装置。
【請求項５】
請求項１に記載の情報再生装置において、
前記表示手段には、前記コンテンツデータにおける現時点までの再生経過を示す数値表示がなされることを特徴とする情報再生装置。
【請求項６】
請求項１に記載の情報再生装置において、
前記表示手段には、前記コンテンツデータ全体の再生における現在の再生時刻が表示されることを特徴とする情報再生装置。
【請求項７】
請求項１に記載の情報再生装置において、
前記情報量の変化を解析する解析手段を更に備え、
前記表示制御手段は、解析された前記変化を前記表示手段に表示させることを特徴とする情報再生装置。
【請求項８】
請求項１に記載の情報再生装置において、
前記操作部に対する接触により特定された前記再生時刻を指示する際に操作される操作入力部を更に備え、
前記再生制御手段は、接触された前記操作部の位置と、前記操作入力部における操作結果と、に基づいて前記コンテンツデータの再生時刻を特定し、当該特定された再生時刻から前記コンテンツデータの再生を行うことを特徴とする情報再生装置。
【請求項９】
請求項１に記載の情報再生装置において、
前記操作部は、タッチパッド又はタッチパネルであることを特徴とする情報再生装置。
【請求項１０】
請求項１に記載の情報再生装置において、
前記再生制御手段は、前記操作部が連続的に接触された際に、最終的に非接触となった当該操作部の位置を、前記再生時刻として特定することを特徴とする情報再生装置。
【発明の詳細な説明】
【技術分野】
【０００１】
本発明は、記録媒体に記録されている音情報または映像情報の再生を行う情報再生装置の技術分野に属する。
【背景技術】
【０００２】
近年、ＣＤ（Compact Disc）やＤＶＤ（Digital Versatile Disc）などのデジタル信号によってデータの記録および再生が可能な記録媒体（デジタル記録媒体）が普及してきており、デジタル信号によって記録されている利点を生かした種々の再生機能を有する情報再生装置が実用に供されている。
【０００３】
特に、このデジタル記録媒体は、カセットテープやビデオテープに代表されるアナログ信号によってデータの記録および再生が行われる記録媒体（アナログ記録媒体）などと異なり、各楽曲や一連の映像シーンの纏まり（以下、場面（シーン）ともいう。）など、複数のデータ群、すなわち、コンテンツとしてユーザに提供する際の複数のデータの纏まり（以下、この纏まりを称してコンテンツデータという。）の中から、ユーザが所望する一のコンテンツデータの先頭アドレスをさがし出して再生する「頭出し再生」、または、当該各コンテンツデータの再生順序を入れ替えてコンテンツデータを再生する「ランダム再生」など、記録されているコンテンツデータの読み出しに関する応答性および任意の再生位置の検索の容易性の利点を生かした種々の再生機能を有する情報再生装置が実用に供されている。
【０００４】
従来、このようなデジタル記録媒体において、当該記録媒体に記録されている各楽曲や特定の映像シーンなどのコンテンツデータにおける任意の再生位置の特定を容易にするために、当該コンテンツデータの再生時に、コンテンツデータの時間的な情報量の変化を解析し、この解析結果をユーザに提供する情報再生装置が知られている。
【０００５】
例えば、この情報記録装置は、各コンテンツデータの時間的な情報量の変化を予め解析し、その解析結果を当該解析されたコンテンツデータの時間進行に伴う情報量の変化レベルをレベル差として表示手段に表示するようになっている。この構成より、ユーザは、提示された当該解析結果に基づいて操作部を操作することができので、的確にかつ容易に、所望する再生箇所を特定することができるようになっている（例えば、特許文献１）。
【先行技術文献】
【特許文献】
【０００６】
【特許文献１】特開２００２−３４１８８８号公報
【発明の概要】
【発明が解決しようとする課題】
【０００７】
しかしながら、このような従来の情報再生装置にあっては、直接的に、かつ、直感的に、コンテンツデータ内におけるユーザの所望する再生時刻を指定することができない。すなわち、上述の情報再生装置では、視覚を通じて提供される情報量の変化レベルに基づいて再生箇所（再生時刻）の指定を行うことができるものの、従来と同様の操作子、例えば、ユーザがデータ再生の早送りまたは巻き戻しなどの操作キーによって当該再生箇所を特定するようになっているので、ユーザが所望する再生時刻を、直接的に、かつ、直感的に、指定することができない。
【０００８】
本発明は、上記の各問題点に鑑みて為されたもので、その課題の一例としては、視覚を通じて提供される情報量の変化に基づいて、直接的に、かつ、直感的に、ユーザが所望する再生箇所を指定することができる情報再生装置を提供することにある。
【課題を解決するための手段】
【０００９】
上記の課題を解決するために、請求項１に記載の発明は、コンテンツデータの再生経過を表す再生経過軸を表示する表示手段と、前記コンテンツデータの再生経過に伴う情報量の変化を前記表示部に表示させる表示制御手段と、前記コンテンツデータの再生時刻を指定するための接触式の操作部であって、前記再生経過軸の一端部の位置に当該操作部の一端部の位置が対応し、且つ前記再生経過軸の他端部の位置に当該操作部の他端部の位置が対応するように設けられた操作部と、接触された前記操作部の位置に基づいて前記コンテンツデータの特徴に応じた再生時刻を特定し、当該特定された再生時刻から前記コンテンツデータの再生を行う再生制御手段と、を備える。
【図面の簡単な説明】
【００１０】
【図１】本願に係る参照形態の光ディス再生装置の構成を示すブロック図である。
【図２】参照形態におけるビート密度解析部の構成を示すブロック図である。
【図３】参照形態のリングバッファメモリにおける論理構造の一部を示す論理構造図の一例である。
【図４】参照形態のリングバッファメモリにおける論理構造の全体を示す論理構造図の一例である。
【図５】参照形態のパックデータ交換部において生成されるパックデータの論理構造を示す論理構造図の一例である。
【図６】参照形態の再生時刻特定操作部の構成を示すブロック図である。
【図７】参照形態のシステム制御部における操作子の操作に基づく再生処理の動作を示すフローチャート（Ｉ）である。
【図８】参照形態のシステム制御部における操作子の操作に基づく再生処理の動作を示すフローチャート（II）である。
【図９】実施形態の再生時刻特定操作部の構成を示すブロック図である。
【図１０】実施形態のシステム制御部における操作子の操作に基づく再生処理の動作を示すフローチャート（Ｉ）である。
【図１１】実施形態のシステム制御部における操作子の操作に基づく再生処理の動作を示すフローチャート（II）である。
【符号の説明】
【００１１】
１０    光ディスク
２０    メモリカード
１００    光ディスク再生装置
１１０    ピックアップ
１２０    ＲＦアンプ部
１３０    スピンドルモータ
１４０    サーボ機構部
１５０    ピックアップサーボ回路
１６０    オーディオデータデコード部
１７０    復号化部
１８０    コントロールデータデコード部
１９０    スピンドルサーボ回路
２００    オーディオ編集部
２１０    オーディオ信号生成部
２２０、５００    再生時刻特定操作部
２２１、５０２    表示部
２２２    表示制御部
２２３    可動制御部
２３０    操作入力部
２４０    角速度検出部
２５０    メモリカード格納部
２６０    システム制御部
３００    ビート密度解析部
５０１    再生時刻特定部
ＲＢＭ    リングバッファメモリ
ＰＤ    パックデータ
ＭＦ    可動操作子
ＯＦ    操作領域
ＴＤ    位置指定操作子
【発明を実施するための形態】
【００１２】
次に、本願に好適な実施の形態について、図面に基づいて説明する。
【００１３】
なお、以下に説明する各実施形態は、再生速度、テンポおよび巻き戻し再生に代表される様々な再生機能を有するＣＤプレーヤなどの光ディスクの再生装置（以下、光ディスク再生装置という。）に対して本願の情報再生装置を適用した場合の実施形態である。
【００１４】
また、以下に説明する各実施形態の光ディスク再生装置は、例えば、クラブやディスコなどの舞踏場において、光ディスクを次々に取り替えつつ、音楽データを連続的に再生する際の再生装置として用いられ、特に、光ディスクの回転方向または当該回転速度を操作者（ディスクジョッキーともいう。）が制御することによって当該音楽データを再生する機能、または、特定の音楽データのデータ部分を繰り返し再生する機能などの特殊再生を行う特殊再生装置（ＤＪ：Disc Jockey装置）として用いられる。
【００１５】
〔参照形態〕
始めに、図１〜図８を用いて光ディスクの再生を行う光ディス再生装置の参照形態について説明する。
【００１６】
まず、図１を用いて参照形態における光ディス再生装置の構成について説明する。なお、図１は、参照形態の光ディス再生装置の構成を示すブロック図である。
【００１７】
参照形態の光ディスク再生装置１００は、図１に示すように、図示しないディスク挿入口から挿入された光ディスク１０に記録されているコンテンツデータおよびコンテンツデータを再生するために必要となるコントロールデータを読み出すピックアップ（ＰＵともいう。）１１０と、当該ピックアップ１１０によって読み取られた信号（以下、読み取り信号という。）に基づいてＲＦ信号およびサーボ制御するためのエラー信号を生成するＲＦアンプ部１２０と、光ディスク１０が装填されるハブ部（図示省略）を有し、当該装填された光ディスク１０を回転駆動させるスピンドルモータ１３０と、ピックアップ１１０のサーボ制御を行うサーボ機構部１４０と、ＲＦアンプ部１２０において生成されたエラー信号に基づいてサーボ機構のフィードバック制御および位置制御を行うピックアップサーボ回路１５０と、備え、ＲＦアンプ部１２０およびピックアップサーボ回路１５０はバスＢに接続されている。
【００１８】
また、参照形態の光ディスク再生装置１００は、ＲＦ信号中に含まれているオーディオストリームを分離抽出するオーディオデータデコード部１６０と、オーディオデータストリームをオーディオデータに複合する復号化部１７０と、ＲＦ信号をデコードし、当該ＲＦ信号中に含まれているコントロールデータを分離抽出するコントロールデータデコード部１８０と、コントロールデータに基づいてスピンドルモータ１３０の回転をフィードバック制御するスピンドルサーボ回路１９０と、コンテンツデータを再生する際にコンテンツデータ全体における時間経過に伴うビートに関する情報量の変化を解析するビート密度解析部３００と、オーディオデータに対して所定の変調処理を施し、様々な効果音を付与するためのイフェクト処理（編集処理）を行うこのオーディオ編集部２００と、変調処理が行われたオーディオデータに対して所定の処理を実行して出力端子２１１を介して図示しない外部装置に出力するオーディオ信号生成部２１０と、を備え、各部はバスＢに接続されている。
【００１９】
このような構成を有することにより、参照形態の光ディスク再生装置１００は、装填された光ディスク１０からコンテンツデータを読み出すために各種の制御を行うとともに、当該光ディスク１０から読み出されたコンテンツデータを再生するため、当該読み出された各種のデータに対して所定の処理を行い、図示しない電力増幅器またはスピーカなど外部装置に出力するようになっている。
【００２０】
さらに、参照形態の光ディスク再生装置１００は、コンテンツデータ全体における時間経過に伴うビートに関する情報量の変化を表示するとともに、当該表示領域に対応した操作領域ＯＦを可動する光ディスク１０の再生箇所を特定するために用いられる可動操作子（ムービングフェーダともいう。）ＭＦから構成される再生時刻特定操作部２２０と、複数の操作キーおよびジョグダイヤルから構成され、一般的な再生指示を行う際に用いられる操作入力部２３０と、操作部におけるジョグダイヤルの回転方向および回転速度（角速度）を光学的に検出する角速度検出部２４０と、メモリカード２０を着脱自在に構成され、当該メモリカード２０に記憶されたデータを読み出すメモリカード格納部２５０と、各部を総括的に制御するシステム制御部２６０と、を備え、各部はバスＢに接続されている。
【００２１】
このような構成を有することにより、参照形態の光ディスク再生装置１００は、ユーザ（以下、使用者ともいう。）の操作に基づいて各部の処理を実行するとともに、装填された光ディスク１０に記録されているコンテンツデータの再生を行うようになっている。
【００２２】
なお、例えば、参照形態のコントロールデータデコード部１８０およびオーディオデータデコード部１６０は、本発明に関する取得手段を構成し、ビート密度解析部３００は、本発明の解析手段および再生手段を構成する。また、例えば、参照形態の再生時刻特定操作部２２０は、本発明の操作手段、表示手段、表示制御手段、特定手段、可動制御手段および検出手段を構成し、システム制御部２６０は、本発明の再生制御手段を構成する。
【００２３】
ピックアップ１１０は、装填された光ディスク１０からコンテンツデータおよび制御データを読み出すための半導体レーザを有し、当該光ディスク１０におけるコンテンツデータが記録されているデータ記録層に対してレーザ光を照射するようになっている。また、このピックアップ１１０は、レーザ光を記録層に照射することによって、当該記録層において反射された反射光を受光するようになっており、受光された反射光を読み取り信号としてＲＦアンプ部１２０に出力するようになっている。
【００２４】
ＲＦアンプ部１２０には、ピックアップ１１０から出力された読み取り信号が入力されるようになっており、このＲＦアンプ部１２０は、入力された読み取り信号に基づいて光ディスク１０に記録されていたデータに基づいてＲＦ信号生成し、当該生成されたＲＦ信号をオーディオデータデコード部１６０およびコントロールデータデコード部１８０に出力するようになっている。
【００２５】
また、このＲＦアンプ部１２０は、入力された読み取り信号に基づいて、光ピックアップ１１０が光ディスク１０にレーザ光を照射する際のフォーカスを制御するための信号（以下、フォーカスエラー信号という。）、同様に光ピックアップ１１０が光ディスク１０にレーザ光を照射する際のトラッキングを制御するための信号（以下、トラッキングエラー信号という。）などの誤差信号を生成するようになっており、当該生成された各誤差信号をピックアップサーボ回路１５０に出力するようになっている。
【００２６】
スピンドルモータ１３０は、当該スピンドルモータ１３０の駆動軸に設けられ、光ディスク１０が装填されるハブ部（図示省略）を有し、スピンドルサーボ回路１９０の制御に基づいて、光ディスク１０を回転駆動させるようになっている。
【００２７】
サーボ機構部１４０は、ピックアップ１１０に連接され、ピックアップサーボ回路１５０の制御の下、装填された光ディスク１０に対して連接されたピックアップ１１０を当該光ディスク１０の半径方向に往復移動させるようになっており、光ディスク１０にて反射された反射光をピックアップ１１０において適切に読み取るために、ピックアップ１１０に対してサーボ制御を行うようになっている。
【００２８】
ピックアップサーボ回路１５０には、ＲＦアンプ部１２０において生成された各誤差信号が入力されるようになっており、このピックアップサーボ回路１５０は、入力された各誤差信号に基づいてフォーカスエラーやトラッキングエラー等の誤差の発生を抑制すべく、サーボ機構をフィードバック制御するようになっている。
【００２９】
また、ピックアップサーボ回路１５０は、システム制御部２６０の制御の下、光ディスク１０の記録層、具体的には、当該記録層に設けられた記録トラックにピックアップ１１０から照射されるレーザ光の照射位置を移動させるようサーボ機構の位置制御を行うようになっている。
【００３０】
オーディオデータデコード部１６０には、ＲＦアンプ部１２０において生成されたＲＦ信号が入力されるようになっており、このオーディオデータデコード部１６０は、光ディスク１０毎に規格化されているフォーマットに準拠してＲＦ信号をデコードし、ＲＦ信号中に含まれ、ＭＰＥＧ（Motion Picture Experts Group）やＡＣ−３（Audio Code number 3）、ＭＰ３（MPEG Audio Layer-3）等の規格によって情報報圧縮されているオーディオストリームを分離抽出して復号化部１７０に出力するようになっている。
【００３１】
復号化部１７０には、オーディオデータデコード部１６０から出力されたオーディオストリームが入力されるようになっており、この復号化部１７０は、入力されたオーディオストリームをオーディオデータに復号し、当該復号されたオーディオデータを再生データとしてビート密度解析部３００に出力するようになっている。
【００３２】
なお、以下において、参照形態では、当該復号化部によって複合されるオーディオデータを再生データといい、当該再生データの集合であるコンテンツデータとは異なる表現として用いる。
【００３３】
コントロールデータデコード部１８０には、ＲＦアンプ部１２０において生成されたＲＦ信号が入力されるようになっており、このコントロールデータ部は、光ディスク１０毎に規格化されているフォーマットに準拠して入力されたＲＦ信号をデコードし、当該ＲＦ信号中に含まれているコントロールデータを分離抽出するようになっている。また、このコントロールデータデコード部１８０は、分離抽出されたコントロールデータをビート密度解析部３００、スピンドルサーボ回路１９０および再生時刻特定操作部２２０に出力するようになっている。
【００３４】
具体的には、コントロールデータデコード部１８０は、コントロールデータとして、光ディスク１０に記録されているデータにおける制御データが記録されるエリア（以下、リードインエリアという。）に記録されているＴＯＣ（Table of Contents）データと、オーディオストリームに含めて記録されている同期データ、コンテンツデータが再生される際の時間経過を示す時間経過情報が含まれるサブコードデータ等の種々のコントロールデータと、を分離抽出するようになっている。そして、このコントロールデータデコード部１８０は、ビート密度解析部３００にはサブコードデータ、スピンドルサーボ回路１９０には同期データ、システム制御部２６０には全てのコントロールデータを出力するようになっている。
【００３５】
なお、コントロールデータデコード部１８０において抽出されるサブコードデータには、コンテンツデータを再生する際の時間経過を示す時間経過を示すサブコード、後述するＱサブコード（以下、時間経過情報ともいう。）が含まれている。
【００３６】
スピンドルサーボ回路１９０には、コントロールデータデコード部１８０から出力されたコントロールデータ、具体的には同期データ（以下、検出同期データという。）と、システム制御部２６０によって指示されたスピンドルモータ１３０の回転速度に対する同期データ（以下、制御同期データという。）が入力されるようになっている。また、このスピンドルサーボ回路１９０は、入力された、入力された検出同期データおよび制御同期データの誤差を検出するようになっており、当該検出された誤差の発生を抑制すべくスピンドルモータ１３０の回転をフィードバック制御するようになっている。
【００３７】
ビート密度解析部３００には、コントロールデータデコード部１８０から出力されるサブコードデータと復号化部１７０とから出力されたオーディオデータである再生データが入力されるようになっている。このビート密度解析部３００は、入力されたサブコードデータおよび再生データに基づいて、コンテンツデータ全体における時間経過に伴うビートに関する情報量の変化を解析するようになっている。また、このビート密度解析部３００は、解析されたビートに関する情報量の変化を、システム制御部２６０を介して再生時刻特定操作部２２０に出力するとともに、ビートに関する情報量の変化の解析が行われる際に生成されたパックデータＰＤをオーディオ編集部２００に出力するようになっている。
【００３８】
具体的には、ビート密度解析部３００は、記憶されたデータをエンドレスに保持するリングバッファメモリＲＢＭを有し、入力されたサブコードデータと当該サブコードに対応する再生データが対応づけられて所定のデータ構造から構成されるパックデータを生成するようになっている。また、このビート密度解析部３００は、生成されたパックデータＰＤをリングバッファメモリＲＢＭに記憶させるようになっており、予め設定された一連の処理であるバッチ処理を行いつつ、パックデータＰＤに含まれている再生データをシステム制御部２６０の制御に基づいて順次再生データとして、オーディオ編集部２００に出力するようになっている。
【００３９】
なお、ビート密度解析部３００が、バッチ処理を行うことによって、光ディスク１０から再生データとコントロールデータを再生するための処理に対して、オーディオ編集部２００の処理を実質的に独立させることができるようになっている。
【００４０】
一方、このビート密度解析部３００は、生成されたパックデータＰＤから時間経過に伴うビートに関する情報量の変化、すなわち、ビット密度と呼ばれる時間経過に伴うビートに関する情報量のデータ（以下、ビット密度データという。）を一のコンテンツデータ毎に生成するようになっており、生成されたビット密度データを再生時刻特定操作部２２０に出力するようになっている。
【００４１】
なお、ビット密度データは、再生すべきコンテンツデータ全体のビート密度を示すデータであるため、ビート密度解析部３００は、当該コンテンツデータの全体の時間長を示すデータをも含めて生成されるようになっており、後述のように、当該時間長を再生時刻特定操作部２２０において用いるようになっている。
【００４２】
また、参照形態におけるビート密度解析部３００の構成およびその動作の詳細については、後述する。
【００４３】
オーディオ編集部２００には、ビート密度解析部３００から出力される再生データが入力されるようになっており、このオーディオ編集部２００は、入力された再生データに対して鋸波による変調を施すための変調処理など所定の変調処理を施すことにより、様々な効果音を付与するためのイフェクト処理（編集処理）を行うようになっている。また、このオーディオ編集部２００は、イフェクト処理されたデータ（以下、イフェクトデータという。）をオーディオ信号生成部２１０に出力するようになっている。
【００４４】
オーディオ信号生成部２１０には、イフェクト処理されたイフェクトデータが入力されるようになっており、このオーディオ信号生成部２１０は、入力されたイフェクトデータを、デジタル信号形式を維持しつつ、または、Ａ／Ｄ変換器（図示省略）によってイフェクトデータを可聴周波数帯域のアナログオーディオ信号に変換し、信号形式が維持されたデータまたは信号形式が変換された信号を、出力端子２１１を介して電力増幅器およびスピーカなどの外部装置に出力するようになっている。
【００４５】
再生時刻特定操作部２２０には、ビート密度解析部３００から出力された再生される一のコンテンツデータ全体におけるビート密度データと、後述するようにコンテンツデータの再生中に現在再生されている再生位置を示す経過トラック時刻データと、が入力されるようになっている。
【００４６】
この再生時刻特定操作部２２０は、液晶表示素子からなる表示部２２１を有し、入力されたビート密度データに基づいてコンテンツデータ全体の当該ビート密度データを表示部２２１に表示するようになっている。また、この再生時刻特定操作部２２０は、表示部２２１に並設され、予め設定された操作領域ＯＦを可動する可動操作子ＭＦを有し、入力されたビート密度データに基づいて、操作領域ＯＦにおける可動操作子ＭＦの可動範囲を設定するとともに、コンテンツデータが再生される際に、入力された経過トラック時刻データに基づいて、可動操作子ＭＦの中心が表示部２２１における再生されている時刻のビート密度データを特定するように、当該可動操作子ＭＦを可動させるようになっている。
【００４７】
なお、参照形態の再生時刻特定操作部２２０は、ビート密度データの他に、ＴＯＣデータなどのコンテンツデータに関するデータも表示部２２１に表示するようになっており、ＴＯＣデータその他の表示に必要なデータは、コントロールデータデコード部１８０から出力されたサブコードデータに基づいて表示するようになっている。
【００４８】
一方、この再生時刻特定操作部２２０は、可動操作子ＭＦにおけるユーザの接触の有無を検出するようになっており、コンテンツデータの再生中に、可動操作子ＭＦにユーザが接触していることを検出した場合には、コンテンツデータの再生を停止させるために、その旨をシステム制御部２６０に出力するようになっている。
【００４９】
また、この差生時刻特定操作部は、当該コンテンツデータの再生が停止されている際に、ユーザが操作領域ＯＦ内において可動操作子ＭＦを可動させ、ユーザが可動操作子ＭＦから非接触になったことを検出した場合には、当該可動操作子ＭＦが可動されることによって特定された操作領域ＯＦの任意の箇所に対応するコンテンツデータの再生開始時刻を算出し、当該算出された再生開始時刻を再生時刻データとしてシステム制御部２６０に出力するようになっている。
【００５０】
なお、システム制御部２６０は、コンテンツデータの再生開始時刻を示す再生時刻データが入力された場合には、当該再生時刻がコンテンツデータの再生を開始させるため、ビート密度解析部３００、オーディオ編集部２００およびオーディオ信号生成部２１０を制御するようになっている。
【００５１】
また、参照形態における再生時刻特定操作部２２０の構成およびその動作について後述する。
【００５２】
操作入力部２３０は、各種確認ボタン、各操作指令を入力するためのプッシュプル型の第１操作キーと、両方向に回転自在な円板形状によって形成され、コンテンツデータの再生動作を指示するためのジョグダイヤルと、両方向に回転自在なロータリスイッチや回転型の可変抵抗器から成る複数個の第２操作キーと、スライド式可変抵抗器から成る複数個の第３操作キーと、から構成される。
【００５３】
また、この操作入力部２３０は、各第１操作キーとジョグダイヤルとによって更に多様な編集を指示するための信号、および、コンテンツデータを再生する際の順方向に順次再生させるフォワード再生処理、当該コンテンツデータを再生する際に順方向と逆順に順次再生させるリバース再生処理などの操作指示するための信号をシステム制御部２６０に出力するようになっている。
【００５４】
なお、各第２および第３操作キーによって、第１操作キーと同様に、ディスク再生部における編集（イフェクト）を行うための信号をオーディオ編集部２００に出力するようになっている。
【００５５】
角速度検出部２４０は、ロータリエンコーダ回路を有し、操作入力部２３０におけるジョグダイヤルの回転方向及び回転速度（角速度）を光学的に検出し、当該検出されたデータを検出データとしてシステム制御部２６０に出力するようになっている。
【００５６】
メモリカード格納部２５０は、所定のフォーマット形式を有するメモリカード２０を着脱自在に装着するためのスロットを有し、システム制御部２６０の制御の下、装着されたメモリカード２０から所定のデータを読み出し、当該読み出されたデータをシステム制御部２６０を介してビート密度解析部３００に出力するようになっている。
【００５７】
具体的には、メモリカード格納部２５０は、システム制御部２６０の制御に基づいて、予め記憶されている解析されたビートに関する情報量の変化を示すデータであって、コンテンツデータの時間長を示すデータを有するビット密度データとパックデータＰＤをメモリカード２０から読み出すようになっており、読み出されたビット密度データを、再生時刻特定操作部２２０に出力するとともに、読み出されたパックデータＰＤをビート密度解析部３００に出力するようになっている。
【００５８】
なお、参照形態では、メモリカード２０に予め記憶されたビット密度データおよびパックデータＰＤを用いることによって、装填された光ディスク１０から各種のデータを読み出すことなく、ビット密度データの表示その他の処理を行うことができるようになっている。
【００５９】
また、メモリカード２０には、ビット密度データのみ記憶されるようにしてもよく、この場合には、装着された光ディスク１０から上述のように読み出されたパックデータＰＤとともに、特殊再生を行うようにする。
【００６０】
システム制御部２６０は、主に中央演算処理装置（ＣＰＵ）と、所定の処理を実行する際に各種のデータの読み出しおよび書き込みが行われるＲＯＭ／ＲＡＭと、によって構成されるとともに、キー入力ポート、制御ポート等の各種入出力ポートを含み、光ディスク再生装置１００の全般的な機能を総括的に制御するようになっている。そして、このシステム制御部２６０は、に格納される制御プログラムを読み出すようになっており、当該ＲＯＭ／ＲＡＭに処理中のデータを一時的に保持しつつ、読み出された制御プログラムに基づいて各種の処理を実行するようになっている。
【００６１】
特に、参照形態では、システム制御部２６０は、操作入力部２３０の操作に基づいてコンテンツデータの再生指示が入力された場合に、リングバッファメモリＲＢＭに記憶されているパックデータＰＤを読み出させ、オーディオ信号生成部２１０に読み出したパックデータＰＤを複合させて外部装置に出力させるようになっている。そして、このとき、システム制御部２６０は、コンテンツデータの再生に伴う経過時間に伴って、可動制御部２２３を制御し、再生されているコンテンツデータの再生時刻を示す位置に順次当該可動操作子ＭＦをスライドさせて可動させるようになっており、可動操作子ＭＦの動作制御を行うようになっている。
【００６２】
また、システム制御部２６０は、再生時刻特定操作部２２０において検出された可動操作子ＭＦのユーザにおける接触または非接触の旨に基づいて、再生データの再生開始またはその停止制御するようになっており、再生時刻特定操作部２２０においてコンテンツデータの再生中に可動操作子ＭＦのユーザの接触が検出された場合には、再生されているコンテンツデータを停止するように、ビート密度解析部３００、オーディオ編集部２００、および、オーディオ信号生成部２１０を制御するようになっている。
【００６３】
一方、システム制御部２６０は、光ディスク１０の再生の停止中に、再生時刻特定操作部２２０の可動操作子ＭＦが操作されることにより任意の再生開始時刻が特定され、可動操作子ＭＦにおけるユーザの非接触を検出した場合には、当該特定された再生時刻からコンテンツデータが再生されるように、ビート密度解析部３００を制御し、リングバッファメモリＲＢＭに記憶されている該当するパックデータＰＤを読み出させるようになっている。そして、このシステム制御部２６０は、読み出させたパックデータＰＤにおける再生データを再生するように、オーディオ編集部２００、および、オーディオ信号生成部２１０を制御するようになっている。
【００６４】
なお、可動操作子ＭＦのユーザにおける接触または非接触に基づく、システム制御部２６０におけるコンテンツデータの再生停止処理、および、可動操作子ＭＦの操作による当該コンテンツデータの再生処理（以下、操作子の操作に基づく再生処理という。）の詳細については後述する。
【００６５】
また、リングバッファメモリＲＢＭには、一のコンテンツデータ全てが記憶することができないことも想定されるために、システム制御部２６０は、再生時刻特定操作部２２０の可動操作子ＭＦが操作された際に、当該ジョグダイヤルの操作量または可動操作子ＭＦの再生時刻に基づいて、リングバッファメモリＲＢＭの記録容量の超過を検出するようになっており、各操作量が当該リングバッファメモリＲＢＭの記録容量を超過した場合には、リングバッファメモリＲＢＭに現在記憶されているパックデータＰＤを別のパックデータＰＤに更新すべく、ピックアップサーボ回路１５０とスピンドルサーボ回路１９０に指示してピックアップ１１０を移動させ、光ディスク１０からデータを読み取らせるための制御を行うようになっている。
【００６６】
次に、図２〜図５を用いて参照形態のビート密度解析部３００の構成およびその動作について説明する。
【００６７】
なお、図２は、参照形態のビート密度解析部３００の構成を示すブロック図であり、図３は、参照形態のリングバッファメモリＲＢＭにおける論理構造の一部を示す論理構造図の一例である。また、図４は、参照形態のリングバッファメモリＲＢＭにおける論理構造の全体を示す論理構造図の一例であり、図５は、参照形態のパックデータ交換部３０６において生成されるパックデータＰＤの論理構造を示す論理構造図の一例である。
【００６８】
参照形態のビート密度解析部３００は、上述のように、入力されたサブコードデータと再生データとを対応づけて所定のデータ構造から成るパックデータＰＤを生成し、当該生成されたパックデータＰＤをリングバッファメモリＲＢＭに記憶させるとともに、当該生成されたパックデータＰＤからビット密度データを生成するようになっている。
【００６９】
このビート密度解析部３００は、図２に示すように、不発性半導体メモリで形成された所定の記憶容量を有するリングバッファメモリＲＢＭと、システム制御部２６０から指定された書き込みアドレスを設定する書き込みアドレスコントローラ３０１と、書き込みアドレスコントローラ３０１で設定されるリングバッファメモリＲＢＭのアドレスにパックデータＰＤを書き込むデータ書き込み部３０２と、システム制御部２６０から指定された読み出しアドレスを設定する読み出しアドレスコントローラ３０３と、読み出しアドレスコントローラ３０３で設定されるリングバッファメモリＲＢＭのアドレスからパックデータＰＤを読出すデータ読出部３０４と、から構成され、リングバッファメモリＲＢＭにおけるパックデータＰＤの書き込みおよび読み出しを行うようになっている。
【００７０】
また、このビート密度解析部３００は、サブコードデータおよび再生データが入力される際に用いられる入力バッファ回路３０５と、サブコードデータおよび当該サブコードデータに対応する再生データを対応づけたパックデータＰＤを生成するパックデータ交換部３０６と、生成されたパックデータＰＤにおける再生データに対して予め設定された周波数帯域毎にピークレベルの発生頻度を示す計数値データを算出するビート検出部３０７と、サブコードデータに含まれているＱサブコードから再生時の経過トラック時刻をビート位置データとして検出するビート位置検出部３０８と、各周波数帯域における各計数値データが生成されたときの経過トラック時刻を判断するとともに予め定められた演算処理を行うことによってビート密度データを算出するビート密度演算部３０９と、から構成され、生成されたパックデータＰＤから時間経過に伴うビートに関する情報量の変化を示すビット密度データを生成するようになっている。
【００７１】
さらに、このビート密度解析部３００は、リングバッファメモリＲＢＭから読み出されたパックデータＰＤに含まれているサブコードデータと再生データを分離するパックデータ分離部３１０と、分離されたサブコードデータに基づいて再生データが再生され拡声される時点（現時点）での経過トラック時刻を検出する再生位置検出部３１１と、から構成され、コンテンツデータの時間経過に伴うビート密度と再生時刻特定操作部２２０の可動操作子ＭＦの可動を対応させるために、コンテンツデータが再生される際の再生位置の検出を行うようになっている。
【００７２】
リングバッファメモリＲＢＭには、パックデータＰＤが、書き込みアドレスコントローラ３０１とデータ書き込み部３０２の制御に基づいて記憶され、一旦記憶されたパックデータＰＤを、読み出しアドレスコントローラ３０３とデータ読出部３０４の制御に基づいて出力されるようになっている。
【００７３】
また、このリングバッファメモリＲＢＭでは、パックデータＰＤの書き込みタイミングと読み出しタイミングとがずれてデータの書き込みまたはデータの読み出しが行われるようになっており、これによって上述のバッチ処理が実行できるようになっている。
【００７４】
例えば、参照形態のリングバッファメモリＲＢＭが６４ＭbyteのＳＤＲＡＭで形成されている場合に、図３に示すように、このリングバッファメモリＲＢＭには、論理的先頭アドレス４１０から論理的終端アドレス４２０までのデータ記憶領域（主記憶領域ともいう。）４３０に、ｎ個分のパックデータＰＤがそれぞれ記憶される。また、リングバッファメモリＲＢＭには、図４に示すように、論理的先頭アドレス４１０と論理的終端アドレス４２０が隣接して配置される論理構造を有している。
【００７５】
なお、書き込みアドレスコントローラ３０１、データ書き込み部３０２、読み出しアドレスコントローラ３０３、および、データ読出部３０４は、この論理構造を維持しつつ、パックデータＰＤの記憶および当該パックデータＰＤの読み出しを行うようになっている。すなわち、各アドレスコントローラ、データ書き込み部３０２、および、データ読出部３０４は、リングバッファメモリＲＢＭに記憶されているデータを、論理的先頭アドレス４１０と論理的終端アドレス４２０とが繋がったエンドレスなデータとして扱うようになっており、リングバッファメモリＲＢＭには、図３および図４に示す論理構造を維持することを条件として相対的にアドレス設定が行われたパックデータＰＤが記憶されるようになっている。ただし、汎用領域４７０には、パックデータＰＤは記憶されず、緩衝領域として機能させるようになっている。
【００７６】
入力バッファ回路３０５には、コントロールデータデコード部１８０から出力されたサブコードデータと復号化部１７０ら出力された再生データとがバスＢを介して入力されるようになっており、この入力バッファ回路３０５は、入力されたシステム制御部２６０の指示に従った所定タイミングにてパックデータ交換部３０６にサブコードデータおよび再生データを出力するようになっている。
【００７７】
パックデータ交換部３０６には、入力バッファ回路３０５から出力されたサブコードデータおよび再生データが所定のタイミングにて入力されるようになっており、このパックデータ交換部３０６は、入力されたサブコードデータと、そのサブコードデータに対応する再生データとを対応づけたパックデータＰＤを生成するようになっている。
【００７８】
特に、このパックデータ交換部３０６は、入力された再生データの経過トラック時刻を示すサブコードであるＱサブコードをサブコードデータから検出し、検出されたＱサブコードに対応する再生データと当該Ｑサブコードが抽出されたサブコードデータを対応づけることにより、パックデータＰＤを生成するためのデータ交換を行うようになっている。
【００７９】
例えば、参照形態のパックデータ交換部３０６は、図５に示すように、入力されたサブコードデータを記憶するためのサブコードデータ領域３０６Ａと、そのサブコードデータに対応する再生データを記憶するための再生データ領域３０６Ｂと、を有するパックデータＰＤを生成するようになっており、当該パックデータＰＤを生成する際に、サブコードデータと当該サブコードデータに対応する再生データを対応づけてパックデータＰＤを生成するようになっている。
【００８０】
また、このパックデータ交換部３０６は、上述のように生成されたパックデータＰＤを順次生成し、当該制せされたパックデータＰＤを、データ書き込み部３０２を介してリングバッファメモリＲＢＭに記憶させるようになっている。  
【００８１】
一方、パックデータ交換部３０６は、生成されたパックデータＰＤのうち、再生データをビート検出部３０７に出力するとともに、サブコードデータをビート位置検出部３０８にそれぞれ出力するようになっている。
【００８２】
ビート検出部３０７には、パックデータ交換部３０６にて生成された再生データが入力されるようになっている。このビート検出部３０７は、入力された再生データを、可聴周波数帯域内において、予め設定された周波数帯域毎にピークレベルを検出し、各周波数帯域毎のピークレベルを有する成分の発生頻度を示す計数値を算出するようになっており、当該算出された各周波数帯域毎の計数値を計数値データとしてビート密度演算部３０９に出力するようになっている。
【００８３】
例えば、ビート検出部３０７は、入力された再生データに対して、可聴周波数帯域を高中低の３つの周波数帯域に分割するとともに、分割された各周波数成分のピークレベルをそれぞれ検出し、かつ、各周波数帯域毎に予め設定された閾値データと、当該検出された各周波数帯域毎のピークレベルとを比較するようになっている。そして、このビート検出部３０７は、閾値データとピークレベルとを比較した結果、各周波数成分中に予め設定される所定の期間内に生じる閾値を越える部分の発生頻度を示す計数値を算出し、当該算出された計数値を計数値データとしてビート密度演算部３０９に出力するようになっている。
【００８４】
なお、ユーザが操作部を操作することによって、各分割する周波数帯域の調整および係数値データを算出する際の期間の調節を行うことができるようになっている。
【００８５】
ビート位置検出部３０８には、パックデータ交換部３０６にて生成されたサブコードデータが入力されるようになっており、このビート位置検出部３０８は、サブコードデータに含まれているＱサブコードから再生時の経過トラック時刻を検出し、検出した経過トラック時刻をビート位置データとしてビート密度演算部３０９に出力するようになっている。
【００８６】
ビート密度演算部３０９には、ビート位置検出部３０８から出力されたビート位置データと、ビート検出部３０７から出力された各周波数帯域毎の計数値データとが入力されるようになっている。このビート密度演算部３０９は、入力されたビート位置データに基づいて、各周波数帯域における各計数値データが生成されたときの経過トラック時刻を認識するようになっている。そして、このビート密度演算部３０９は、認識された経過トラック時刻とその時点の各計数値データに基づいて予め定められた演算処理を行い、再生すべき一のコンテンツデータ全体におけるビート密度データを算出するようになっており、当該算出されたビート密度データを再生時刻特定操作部２２０に出力するようになっている。
【００８７】
例えば、このビート密度演算部３０９は、ビート検出部３０７において、可聴周波数帯域を高（Ｈ）中（Ｍ）低（Ｌ）の３つの周波数帯域に分割されている場合には、（式１）によって示される演算を行うことによって、経過トラック時刻毎のビート密度を算出するようになっており、参照形態では、かかる演算を行うことにより、後述するような、経過トラック時刻に対するビート密度が求まることになっている。
【００８８】
ＤＢＴ＝（βＬ×ＤｆＬ）＋（βＭ×ＤｆＭ）＋（βＨ×ＤｆＨ）    ・・・（式１）
ただし、ＤＢＴは経過トラック時刻毎のビート密度を示し、Ｄｆは、各周波数帯域毎の計数値データを示す。また、係数βＬ、βＭ、および、βＨは、ロック、ジャズ、ポップス、ラテン等の音楽のジャンル毎に、ビート密度の特徴を良好に抽出することが可能な値に設定され、実験的に求められている。
【００８９】
なお、ユーザが操作部を操作することによって、音楽のジャンル毎にまたはジャンルとは関係なく係数βＬ、βＭ、および、βＨを任意の値に設定することができるようになっている。
【００９０】
また、ビート密度演算部３０９において算出された一の再生すべき一のコンテンツデータ全体におけるビート密度データは、当該コンテンツデータの時間長を示すデータを有しており、当該時間長を有するデータを含めてビート密度データを再生時刻特定操作部２２０に出力される。
【００９１】
パックデータ分離部３１０には、リングバッファメモリＲＢＭからデータ読出部３０４を介して読み出されたパックデータＰＤが入力されるようになっており、このパックデータ分離部３１０は、入力されたパックデータＰＤに含まれているサブコードデータと再生データを分離するようになっている。そして、このパックデータ分離部３１０は、分離されたサブコードデータを再生位置検出部３１１５２に出力するとともに、分離された再生データを再生音生成用の再生データとして、オーディオ編集部２００に出力するようになっている。
【００９２】
再生位置検出部３１１には、パックデータ分離部３１０から出力されたサブコードデータが入力されるようになっており、この再生位置検出部３１１は、入力されたサブコードデータ中のＱサブコードを抽出するようになっている。また、この再生位置検出部３１１は、抽出されたＱサブコードに基づいて再生データがオーディオ編集部２００とオーディオ信号生成部２１０において処理されて最終的にスピーカやヘッドフォンで再生音として再生される時点（現時点）での経過トラック時刻を検出し、当該検出された経過トラック時刻データを、再生時刻特定操作部２２０に出力するようになっている。
【００９３】
なお、再生時刻特定操作部２２０は、この経過トラック時刻データに基づいて表示されるビート密度データに対応して現時点での経過トラック時刻における位置に可動操作子ＭＦを可動するようになっている。
【００９４】
次に、図６を用いて参照形態の再生時刻特定操作部２２０の構成およびその動作について説明する。なお、図６は、参照形態の再生時刻特定操作部２２０の構成を示すブロック図である。
【００９５】
再生時刻特定操作部２２０は、上述のように、入力されたビート密度データおよび経過トラック時刻データに基づいて再生されるコンテンツデータ全体のビート密度データを表示するとともに、操作領域ＯＦにおける可動操作子ＭＦの可動領域に再生時刻を設定し、コンテンツデータが再生される際に、可動操作子ＭＦの中心が表示部２２１に表示されるビート密度データにおけるコンテンツデータの再生時刻と一致するように、当該可動操作子ＭＦを可動させるようになっている。
【００９６】
また、この再生時刻特定操作部２２０は、コンテンツデータが再生されている際に、または、当該コンテンツデータの再生が停止されている際に、可動操作子ＭＦにおけるユーザの接触の有無を検出するようになっている。そして、この再生時刻特定操作部２２０は、当該可動操作子ＭＦにおけるユーザの接触の有無に基づいて、コンテンツデータの再生停止の指示、および、コンテンツデータの再生開始する時刻の指示をシステム制御部２６０にするようになっている。
【００９７】
具体的には、この再生時刻特定操作部２２０は、図６に示すように、コンテンツデータ全体のビート密度データを表示するビート密度表示エリアＡ１を有し、当該ビート密度データを含むコンテンツデータを再生する際の各種のデータを表示するための表示部２２１と、ビート密度データを表示部２２１に表示する際の表示制御を行う表示制御部２２２と、表示部２２１におけるビート密度データを表示するビート密度表示エリアＡ１に並設され、コンテンツデータの再生を任意の時刻から開始するための開始時刻を特定する際に用いられる可動操作子ＭＦと、コンテンツデータ全体の時間長を可動操作子ＭＦの操作領域ＯＦに対応付けるとともに、コンテンツデータが再生されている際に、再生されるコンテンツデータの経過時刻に伴って上述のビート密度データと対応付けて可動操作子ＭＦをスライドして可動させる可動制御部２２３と、を有している。
【００９８】
なお、例えば、参照形態の表示部２２１は、本発明の表示手段を構成し、表示制御部２２２は、本発明の表示制御手段を構成する。また、例えば、参照形態の可動操作子ＭＦは、本発明の操作子を構成し、可動制御部２２３は、本発明の特定手段、可動制御手段および検出手段を構成する。
【００９９】
表示部２２１は、液晶表示素子からなる複数の表示領域を有しており、ビート密度データを表示するビート密度表示エリアＡ１と、システム制御部２６０から出力されたＴＯＣデータから抽出された再生されているコンテンツデータのトラック番号およびひかりディスクに記録されているトラック数を表示する関連情報表示エリアＡ２と、が設けられている。
【０１００】
参照形態では、ビート密度表示エリアＡ１には、図６に示すように、予め定められた時間長を有するコンテンツデータの横軸を経過トラック時刻、縦軸をビート密度として、経過トラック時刻毎の個々のビート密度を縦方向の棒グラフ状にビート密度データが表示されるようになっている。
【０１０１】
例えば、音楽ＣＤに記録されている楽曲データが再生される際には、参照形態では、ビート密度解析部３００において、その音楽の一曲分のビート密度が算出されるようになっており、ビート密度表示エリアＡ１には、その一曲分の全てのビート密度が経過トラック時刻に対応付けて表示されるようになっている。
【０１０２】
また、関連表示エリアＡ２には、再生中の音楽が記録されているトラック番号の表示と、現時点での経過トラック時刻をデジタル表示する数値表示と、光ディスク１０に記録されている全楽曲数を示す総トラック数の表示がなされるようになっており、ユーザがこれらの表示と、ビート密度表示エリアＡ１および関連情報表示エリアＡ２の表示を見ることによって、光ディスク１０の内容を容易に理解できるようになっている。なお、参照形態では、経過トラック時刻は、フレーム単位まで表示することができるようになっている。
【０１０３】
表示制御部２２２には、ビート密度解析部３００から出力された時間経過に伴う情報量の変化を示すコンテンツデータ全体のビート密度データと、コントロールデータデコード部１８０から出力されたコントロールデータとが入力されるようになっている。この表示制御部２２２は、入力されたビート密度データを経過トラック時刻に対応付けて表示部２２１に表示させるとともに、コントロールデータによって示される各種データを当該表示部２２１に表示させるようになっている。
【０１０４】
例えば、表示制御部２２２は、入力されたビート密度データに対して、経過トラック時刻に対応付けてコンテンツデータ全体のビート密度を表示するための画像データを生成し、当該生成された画像データをビート密度表示エリアＡ１に表示するようになっている。また、この表示制御部２２２は、入力されたＴＯＣデータなどのコントロールデータに基づいて、上述のような各種の情報を表示するための画像データを生成し、当該生成された画像データを関連情報表示エリアＡ２に表示するようになっている。
【０１０５】
可動操作子ＭＦは、ビート密度表示エリアＡ１に隣接して配設されるとともに、所定の操作領域ＯＦを可動可能に設けられており、表示部２２１に表示されたビート密度データに対応して可動するようになっている。この可動操作子ＭＦは、ビート密度表示エリアＡ１の一端部に並設されている端部と、ビート密度表示エリアＡ１の他端部に並設されている他端部と、を有する操作領域ＯＦを可動するようになっている。
【０１０６】
一方、この可動操作子ＭＦは、コンテンツデータの再生時に、当該可動操作子ＭＦの中心を、図示しない外部装置としてのスピーカやヘッドフォンから再生音が出力される時点でのビート密度表示エリアＡ１における経過トラック時刻を示すため、可動制御部２２３の制御に基づいて、操作領域ＯＦ内をスライドして可動するようになっている。
【０１０７】
可動制御部２２３には、コンテンツデータ全体のビート密度データが入力されるようになっており、この可動制御部２２３は、表示部２２１に表示されるビート密度データと対応して可動操作子ＭＦを可動させるため、ビート密度データによって示されるコンテンツデータの時間長に操作領域ＯＦを対応させるようになっている。
【０１０８】
また、この可動制御部２２３は、コンテンツデータが再生されている際に、コンテンツデータの再生に伴って、操作領域ＯＦ内において可動操作子ＭＦを可動させるとともに、ユーザによって可動操作子ＭＦがスライドされた場合には、スライドされることによって操作領域ＯＦ内を移動した移動量を算出するとともに、当該移動量に基づいて再生時刻を算出し、当該算出された再生時刻を再生時刻データとしてビート密度解析部３００、オーディオ編集部２００およびオーディオ信号生成部２１０に出力するようになっている。
【０１０９】
例えば、可動制御部２２３は、操作領域ＯＦの一端部にコンテンツデータの最初に再生される再生時刻を設定し、当該操作領域ＯＦの他端部にコンテンツデータの再生時間長を示す再生時刻を設定するようになっている。また、コンテンツデータが再生されている際に、当該コンテンツデータの再生に伴って可動操作子ＭＦを可動させる場合には、可動制御部２２３には、再生位置検出部３１１から出力された経過トラック時刻データが入力されるようになっており、この可動制御部２２３は、入力された経過トラック時刻データによって示される時点での経過トラック時刻に基づいて、ビート密度表示エリアＡ１の横軸（時間）に対応付けた位置を算出し、当該算出された位置に可動操作子ＭＦを可動させるようになっている。さらに、可動制御部２２３は、ユーザによって可動操作子ＭＦがスライドされた場合には、操作領域ＯＦに設定された開始時刻および終了時刻からの可動操作子ＭＦの移動量と操作領域ＯＦの長さに基づいてコンテンツデータの再生時刻を算出し、当該算出された再生時刻を再生時刻データとしてビート密度解析部３００、オーディオ編集部２００およびオーディオ信号生成部２１０に出力するようになっている。ただし、参照形態の可動制御部２２３は、図６に示すモータＭを制御することによって、可動操作子ＭＦをスライドさせて可動させるようになっている。
【０１１０】
なお、可動制御部２２３は、上述のように、コンテンツデータの再生が行われる際に、可動操作子ＭＦの中心が、表示部２２１に表示されるビート密度データによって示されるコンテンツの再生時刻と一致するように、可動操作子ＭＦを可動させるようになっている。また、ユーザが、スライドして可動している可動操作子ＭＦと、ビート密度表示エリアＡ１に表示されるビート密度とを対比すれば、現時点からどの位の時間が経過すると、楽曲の「サビ」の部分など、再生中の音楽の特徴部分が再生されることになるのかという視覚的な判断を容易に行うことができるようになっている。
【０１１１】
一方、この可動制御部２２３は、可動操作子ＭＦにおけるユーザの接触の有無を検出するようになっており、ユーザが可動操作子ＭＦに接触していることを検出した場合には、その旨をシステム制御部２６０に出力するようになっており、コンテンツデータの再生中であって、可動操作子ＭＦにおけるユーザの接触を検出すると、当該コンテンツデータの再生を停止させるために、システム制御部２６０にその旨を出力するようになっている。
【０１１２】
次に、図７および図８を用いて参照形態のシステム制御部２６０における操作子の操作に基づく再生処理の詳細について説明する。
【０１１３】
なお、図７および図８は、参照形態のシステム制御部２６０における操作子の操作に基づく再生処理の動作を示すフローチャートである。
【０１１４】
また、本動作では、既に、特定の光ディスク１０が光ディスク再生装置１００に装填されているものとし、再生時刻が操作入力部２３０によって特定された後の再生は、コンテンツデータのデータ構成順に順次再生処理を行うものとして説明する。
【０１１５】
さらに、再生の対象となるコンテンツデータのパックデータＰＤは、リングバッファメモリＲＢＭに予め全て格納されているものとする。
【０１１６】
まず、操作入力部２３０によって光ディスク１０に記録されている任意のコンテンツデータの再生の旨が入力され、システム制御部２６０が、当該コンテンツデータの再生指示を検出すると（ステップＳ１１）、当該システム制御部２６０は、ピックアップ１１０、スピンドルモータ１３０その他を制御して光ディスク１０から当該コンテンツデータのコントロールデータおよび再生データを読み出させる（ステップＳ１２）。
【０１１７】
次いで、システム制御部２６０は、コントロールデータデコード部１８０に読み出させたコントロールデータからサブコードデータを抽出させるとともに、ビート密度解析部３００にサブコードデータおよび再生データに基づいてコンテンツデータのビート密度を解析させ、ビート密度データを生成する（ステップＳ１３）。
【０１１８】
具体的には、ビート密度解析部３００は、上述のように、入力されたサブコードデータと再生データとを対応づけて所定のデータ構造から成るパックデータＰＤを生成し、当該生成されたパックデータＰＤをリングバッファメモリＲＢＭに記憶させるとともに、当該生成されたパックデータＰＤからビット密度データを生成する。
【０１１９】
次いで、システム制御部２６０は、表示制御部２２２を制御し、サブコードデータに基づいて表示部２２１に抽出されたコンテンツデータの関連情報を表示させるとともに、生成されたビート密度データに基づいてコンテンツデータ全体のビート密度を表示部２２１に表示させる（ステップＳ１４）。
【０１２０】
次いで、システム制御部２６０は、可動制御部２２３を制御してビート密度データによって示されるコンテンツデータの時間長を可動操作子ＭＦの操作領域ＯＦに設定するとともに、コンテンツデータの再生可能な状態になったことをユーザに告知し、コンテンツデータの再生開始の旨の入力を待機する（ステップＳ１５）。
【０１２１】
なお、参照形態では、コンテンツデータの時間長を可動操作子ＭＦの操作領域ＯＦに設定する場合に、例えば、可動制御部２２３は、操作領域ＯＦの端部にコンテンツデータの最初に再生される再生時刻を設定し、当該操作領域ＯＦの他端部にコンテンツデータの再生時間長を示す再生時刻を設定することによって、コンテンツデータの時間長を可動操作子ＭＦの操作領域ＯＦに設定する。
【０１２２】
次いで、ジョグダイヤルなどの操作入力部２３０の操作により、任意の時刻からの再生の開始が指示され、システム制御部２６０がこの指示を検出すると（ステップＳ１６）、当該システム制御部２６０は、この操作入力部２３０の操作指示に基づいて、ビート密度解析部３００、オーディオ編集部２００およびオーディオ信号生成部２１０を制御して、特定された再生時刻からコンテンツデータを再生させるとともに、可動制御部２２３に特定された再生時刻が設定されている操作領域ＯＦに可動操作子ＭＦをスライドさせて可動を開始させる（ステップＳ１７）。
【０１２３】
具体的には、操作入力部２３０によってコンテンツデータの再生を開始させる再生時刻が特定されると、ビート密度解析部３００は、リングバッファメモリＲＢＭから当該再生時刻に該当するパックデータＰＤを読み出し、当該読み出されたパックデータＰＤの再生データをオーディオ編集部２００およびオーディオ信号生成部２１０に出力し、スピーカなどの外部装置を鳴動させる。また、再生位置検出部３１１から経過トラック時刻データが可動制御部２２３に入力され、当該可動制御部２２３は、入力された経過トラック時刻データによって示される経過トラック時刻に、対応する操作領域ＯＦの位置を算出し、当該算出された位置に可動操作子ＭＦをスライドさせる。また、表示制御部２２２は、コンテンツデータの再生時の経過時間など、入力されたサブコードデータに基づいて、コンテンツデータの関連情報を表示部２２１に表示を開始させる。
【０１２４】
次いで、システム制御部２６０は、ビート密度解析部３００、オーディオ編集部２００およびオーディオ信号生成部２１０を制御してコンテンツデータの再生の処理（以下、単に再生処理という。）、可動制御部２２３を制御して可動操作子ＭＦの可動させる処理（以下、単に可動処理という。）、および、表示部２２１にコンテンツデータの関連情報を表示部２２１に表示する処理（以下、単に表示処理という。）を行う（ステップＳ１８）。
【０１２５】
具体的には、システム制御部２６０は、読み出しアドレスコントローラ３０３がアドレス順に順次リングバッファからパックデータＰＤを読み出させ、オーディオ編集部２００およびオーディ信号生成部において当該パックデータＰＤの再生データに対して所定の処理を行いスピーカなどの外部装置を鳴動させる。また、システム制御部２６０は、リングバッファメモリＲＢＭから読み出されたパックデータＰＤにおけるサブコードデータに基づいて表示部２２１に関連情報を順次表示させる。さらに、システム制御部２６０は、可動制御部２２３に経過時刻データに基づいて操作領域ＯＦ内の特定の位置を算出し、当該算出された位置に可動操作子ＭＦを可動させる。
【０１２６】
次いで、システム制御部２６０は、ユーザによって操作入力部２３０を介して再生停止が入力されたか否かを検出し、および、リングバッファメモリＲＢＭにおける再生すべきパックデータＰＤの有無を検出し、コンテンツデータの再生停止を判断する（ステップＳ１９）。
【０１２７】
このとき、システム制御部２６０に操作部を介して再生停止の旨が入力された場合、または、リングバッファメモリＲＢＭにおける再生すべきパックデータＰＤが無いことを検出した場合には、システム制御部２６０は本動作を終了させる。
【０１２８】
一方、システム制御部２６０に操作部を介して再生停止の旨が入力されず、および、リングバッファメモリＲＢＭにおける再生すべきパックデータＰＤが有ると判断した場合には、システム制御部２６０は、可動制御部２２３に可動操作子ＭＦにおけるユーザの接触の有無を判断させる（ステップＳ２０）。
【０１２９】
このとき、可動制御部２２３が、可動操作子ＭＦに接触していないと判断した場合には、システム制御部２６０は、ステップＳ１８の処理に移行する。
【０１３０】
他方、可動制御部２２３が、可動操作子ＭＦに接触していると判断した場合には、システム制御部２６０は、ビート密度解析部３００、オーディオ編集部２００およびオーディオ信号生成部２１０を制御してコンテンツデータの再生処理を停止する（ステップＳ２１）。
【０１３１】
次いで、システム制御部２６０は、予め設定された時間間隔毎に可動制御部２２３に可動操作子ＭＦにおけるユーザの非接触の有無を検出し（ステップＳ２２）、当該可動制御部２２３が、ユーザが可動操作子ＭＦに非接触になったことを判断した場合には、システム制御部２６０は、可動制御部２２３に可動操作子ＭＦの操作領域ＯＦ内の位置に対応する再生時刻を算出させ、当該算出させた再生時刻を再生時刻データとし各部に出力させる（ステップＳ２３）。
【０１３２】
次いで、システム制御部２６０は、算出された再生時刻データに基づいてビート密度解析部３００、オーディオ編集部２００およびオーディオ信号生成部２１０を制御して当該再生時刻データによって示される再生時刻からコンテンツデータの再生を開始させるとともに、可動制御部２２３を制御して特定された再生時刻が設定されている操作領域ＯＦに可動操作子ＭＦをスライドさせて可動を開始させ、ステップＳ１８の処理に移行させる（ステップＳ２４）。
【０１３３】
具体的には、ビート密度解析部３００は、リングバッファメモリＲＢＭから当該再生時刻に該当するパックデータＰＤを読み出すとともに、当該読み出されたパックデータＰＤの再生データオーディオ編集部２００およびオーディオ信号生成部２１０に出力し、スピーカなどの外部装置を鳴動させる。また、表示制御部２２２は、コンテンツデータの再生時の経過時間など、入力されたサブコードデータに基づいて、コンテンツデータの関連情報を表示部２２１に表示を開始させる。
【０１３４】
以上参照形態によれば、光ディスク再生装置１００は、予め定められた時間長を有するコンテンツデータの再生を行う光ディスク再生装置１００であって、コンテンツデータと当該コンテンツデータを再生する際の時間経過を示すサブコードデータ（時間経過情報）を取得するコントロールデータデコード部１８０およびオーディオデータデコード部１６０と、取得されたコンテンツデータおよびサブコードデータに基づいて当該コンテンツデータの再生時における時間経過に伴う情報量の変化を解析するビート密度解析部３００と、取得されたコンテンツデータ全体における解析された当該コンテンツデータの時間経過に伴う情報量の変化をレベル情報として表示部２２１に表示させる表示制御部２２２と、ユーザが直接接触することが可能であるとともに所定の操作領域ＯＦ内にて当該ユーザの操作に伴って直接可動する可動操作子ＭＦであって、取得されたコンテンツデータの再生を任意の時刻から開始するための開始時刻を特定する際に用いられる当該可動操作子ＭＦを有する再生時刻特定操作部２２０と、可動操作子ＭＦによって特定された開始時刻からコンテンツデータの再生を実行させるシステム制御部２６０と、を備える構成を有している。
【０１３５】
この構成により、参照形態の光ディスク再生装置１００は、ユーザが可動操作子ＭＦを操作することによって、当該操作領域ＯＦ内の各操作位置にコンテンツデータのサブコードデータによって示される各時刻が特定されれば、当該特定された再生時刻からコンテンツデータが再生される。
【０１３６】
したがって、参照形態の光ディスク再生装置１００は、ビート密度データが表示される表示領域に対応付けられて可動操作子ＭＦを可動することができるので、再生中のコンテンツデータの特徴部分を視覚的に把握することができ、かつ、再生すべきコンテンツデータの再生時刻を的確に特定することができる。この結果、参照形態の光ディスク再生装置１００は、直接的に、かつ、直感的に、ユーザが所望する再生時刻を指定することができるとともに、当該再生時刻を指定する操作を容易に行うことができる。
【０１３７】
また、参照形態の光ディスク再生装置１００は、表示部２２１がコンテンツデータ全体のレベル情報を同時に表示するビート密度表示エリアＡ１を有し、再生時刻特定操作部２２０が、レベル情報のビート密度表示エリアＡ１に対応した操作領域ＯＦ内を可動する可動操作子ＭＦを有する構成をしている。
【０１３８】
この構成により、参照形態の光ディスク再生装置１００は、コンテンツデータ全体のビート密度データが表示される表示領域に対応付けられて可動操作子ＭＦを可動することができるので、再生中の音楽の特徴部分を視覚的に把握することができ、かつ、再生すべきコンテンツデータの再生時刻を的確に特定することができる。
【０１３９】
また、参照形態の光ディスク再生装置１００は、再生時刻特定操作部２２０が、ビート密度表示エリアＡ１の一端部に並設される端部と、ビート密度表示エリアＡ１の他端部に並設されている他端部と、を備える操作領域ＯＦを有する構成している。
【０１４０】
この構成により、参照形態の光ディスク再生装置１００は、ビート密度表示エリアＡ１と再生時刻特定操作部２２０の操作領域ＯＦが並設されるとともに、ビート密度データが表示される表示領域に対応付けられて可動操作子ＭＦを可動することができるので、再生中の音楽の特徴部分を視覚的に把握することができ、かつ、再生すべきコンテンツデータの再生時刻を的確に特定することができる。
【０１４１】
また、参照形態の光ディスク再生装置１００は、当該コンテンツデータの再生に伴って、表示部２２１におけるコンテンツデータの再生時刻のレベル情報を特定しつつ、操作子を可動させる可動制御部２２３を更に備える構成を有している。
【０１４２】
この構成により、参照形態の光ディスク再生装置１００は、当該コンテンツデータの再生に伴って、コンテンツデータの再生時刻のレベル情報を特定しつつ、可動操作子ＭＦを可動させることができるので、可動操作子ＭＦによりコンテンツデータの再生時刻を確認しつつ、当該再生時刻によって示されるレベル情報を容易にかつ的確に把握することができる。
【０１４３】
また、参照形態の光ディスク再生装置１００は、コンテンツデータの再生が行われている際に、操作子におけるユーザの接触の有無を検出する可動制御部２２３を更に備え、当該可動制御部２２３によって操作子におけるユーザの接触が検出された場合に、システム制御部２６０は、コンテンツデータにおける再生の停止を実行させる構成を有している。
【０１４４】
この構成により、参照形態の光ディスク再生装置１００は、可動操作子ＭＦにおけるユーザの接触の有無を検出する。
【０１４５】
したがって、参照形態の光ディスク再生装置１００は、コンテンツデータの再生中にユーザによって可動操作子ＭＦが可動される場合であっても、当該ユーザによる可動操作子ＭＦの可動を認識することができるので、コンテンツデータの再生中に当該ユーザによる可動操作子ＭＦの可動を認識した場合には、当該コンテンツデータの再生停止、または、当該コンテンツデータの再生停止後に当該ユーザによる可動操作子ＭＦの可動終了を認識した場合には、当該可動操作子ＭＦが可動された操作領域ＯＦの位置からの再生開始など、可動操作子ＭＦの操作状態とコンテンツデータの再生動作とを連動させることができる。この結果、参照形態の光ディスク再生装置１００は、直接的に、かつ、直感的に、ユーザが所望する再生時刻を指定することができるとともに、当該ユーザの操作状態に併せてコンテンツデータの再生を行うことができる。
【０１４６】
また、参照形態の光ディスク再生装置１００は、システム制御部２６０がコンテンツデータの再生を停止させた場合であって、可動制御部２２３によって可動操作子ＭＦにおけるユーザの非接触が検出された場合に、可動操作子ＭＦが示す操作領域ＯＦの位置に対応するコンテンツデータの再生時刻を算出する可動制御部２２３更に備え、ビート密度解析部３００が、算出された再生時刻からコンテンツデータの再生を再開させる構成を有している。
【０１４７】
この構成により、参照形態の光ディスク再生装置１００は、コンテンツデータの再生中に当該ユーザによる可動操作子ＭＦの可動を認識した場合であって、コンテンツデータの再生停止後に当該ユーザによる可動操作子ＭＦの可動終了を認識した場合には、当該可動操作子ＭＦが可動された操作領域ＯＦの位置からの再生を開始することができるので、直接的に、かつ、直感的に、ユーザが所望する再生時刻を指定することができるとともに、当該ユーザの操作状態に併せてコンテンツデータの再生を行うことができる。
【０１４８】
一方、参照形態によれば、光ディスク再生装置１００は、予め定められた時間長を有するコンテンツデータの再生を行う光ディスク再生装置１００であって、コンテンツデータと当該コンテンツデータが再生される際の時間長を示す時間長データを取得するコントロールデータデコード部１８０およびオーディオデータデコード部１６０と、ユーザが直接接触することが可能であるとともに、所定の操作領域ＯＦ内にて当該ユーザの操作に伴って直接可動する可動操作子ＭＦであって、取得されたコンテンツデータの再生を任意の時刻から開始するための開始時刻を特定する際に用いられる当該可動操作子ＭＦを有する再生時刻特定操作部２２０と、取得された時間長データに基づいて可動操作子ＭＦの操作範囲に対して当該コンテンツデータの再生時刻を対応付けるとともに、可動操作子ＭＦによって特定された開始時刻からコンテンツデータの再生を実行させるシステム制御部２６０と、当該コンテンツデータの再生に伴って可動操作子ＭＦを操作範囲内にて可動させること、および、可動操作子ＭＦにおけるユーザの接触を検出することを行う可動制御部２２３と、を備え、システム制御部２６０が、コンテンツデータの再生中にユーザの接触が検出された場合に、当該コンテンツデータの再生の停止を実行させる構成を有している。
【０１４９】
この構成により、参照形態の光ディスク再生装置１００は、当該コンテンツデータの再生に伴って可動操作子ＭＦを操作範囲内にて可動させ、可動操作子ＭＦにおけるユーザの接触を検出するとともに、コンテンツデータの再生中にユーザの接触が検出された場合に、当該コンテンツデータの再生の停止を実行させる。
【０１５０】
したがって、参照形態の光ディスク再生装置１００は、コンテンツデータの再生中の再生時刻を視覚的に把握することができるとともに、再生中にユーザが再生時刻の変更を希望する際に、容易に、かつ、スムーズにコンテンツデータの再生時刻を特定することができる。この結果、参照形態の光ディスク再生装置１００は、直接的に、かつ、直感的に、ユーザが所望する再生時刻を指定することができるとともに、当該再生時刻を指定する操作を容易に行うことができる。
【０１５１】
また、参照形態の光ディスク再生装置１００は、システム制御部２６０がコンテンツデータの再生の停止中に、可動制御部２２３によって可動操作子ＭＦにおけるユーザの非接触が検出された場合に、当該可動操作子２２３が示す操作領域ＯＦの位置に対応するコンテンツデータの再生時刻を特定し、ビート密度解析部３００が、特定された再生時刻からコンテンツデータの再生を再開させる構成を有している。
【０１５２】
この構成により、参照形態の光ディスク再生装置１００は、ユーザが可動操作子ＭＦを操作して操作領域ＯＦ内における任意の位置の特定後に、当該可動操作子ＭＦから離すと、当該特定された位置に対応する再生時刻から再生を開始するので、容易に、かつ、スムーズにコンテンツデータの再生を行うことができる。
【０１５３】
また、参照形態の光ディスク再生装置１００は、コントロールデータデコード部１８０およびオーディオデータデコード部１６０がコンテンツデータとともに当該コンテンツデータを再生する際の時間経過を示すサブコードデータを取得する場合に、可動制御部２２３が、コンテンツデータの再生中に取得されたサブコードデータに基づいてコンテンツデータの再生時刻に伴って、可動操作子ＭＦを制御する構成を有している。
【０１５４】
この構成により、参照形態の光ディスク再生装置１００は、コンテンツデータの再生中に、再生時刻に伴って可動操作子ＭＦを可動することができるので、再生中のコンテンツデータの再生時刻を視覚的に把握することができるので、直接的に、かつ、直感的に、ユーザが所望する再生時刻を指定することができるとともに、当該再生時刻を指定する操作を容易に行うことができる。
【０１５５】
また、参照形態の光ディスク再生装置１００は、取得されたコンテンツデータおよびサブコードデータに基づいて当該コンテンツデータの再生時における時間経過に伴う情報量の変化を解析するビート密度解析部３００と、取得されたコンテンツデータ全体における解析された当該コンテンツデータの時間経過に伴う情報量の変化をレベル情報として前記コンテンツデータ全体のレベル情報を同時に表示する表示領域を有する表示部２２１に表示させる表示制御部２２２と、を更に備え、再生時刻特定操作部が、レベル情報の表示領域に対応した操作領域ＯＦ内を可動する可動操作子ＭＦを有する構成を有している。
【０１５６】
この構成により、参照形態の光ディスク再生装置１００は、上述の同様に、ユーザが可動操作子ＭＦを操作することによって、当該操作領域ＯＦ内の各操作位置にコンテンツデータのサブコードデータによって示される各時刻が特定されれば、当該特定された再生時刻からコンテンツデータが再生される。
【０１５７】
したがって、参照形態の光ディスク再生装置１００は、上述の同様に、ビート密度データが表示される表示領域に対応付けられて可動操作子ＭＦを可動することができるので、再生中のコンテンツデータの特徴部分を視覚的に把握することができ、かつ、再生すべきコンテンツデータの再生時刻を的確に特定することができる。この結果、参照形態の光ディスク再生装置１００は、直接的に、かつ、直感的に、ユーザが所望する再生時刻を指定することができるとともに、当該再生時刻を指定する操作を容易に行うことができる。
【０１５８】
なお、システム制御部２６０は、メモリカード格納部２５０に挿入されたメモリカード２０との間でデータの授受を行い、更に、操作部を介して入力されたユーザの指示信号に基づいて、所定のデータを取得してビート密度解析、可動操作子ＭＦの制御を行うようにしてもよい。
【０１５９】
この場合には、メモリカード２０内には、コンテンツデータのＴＯＣデータ他のコントロールデータおよび既に解析されたビート密度データが格納されており、当該コントロールデータおよびビート密度データを用いて、上述の操作子の操作に基づく再生処理を行うようになる。ただし、この場合であっても、リングバッファメモリＲＢＭには、装填された光ディスク１０から読み出されて生成されたパックデータＰＤが記憶されるようになる。
【０１６０】
また、参照形態では、音楽データの特殊再生を行う特殊再生装置として、すなわち、コンテンツデータに楽曲のデータを用い、ビート密度データの表示領域と可動操作子ＭＦの操作領域ＯＦを対応させることによって、再生処理を行う再生装置として説明したが、動画像データにおける操作子の操作に基づいて再生処理を行う光ディスク再生装置としても適用することができる。
【０１６１】
この場合には、ビート密度データに代えて、動画像データを構成する各画像データにおいて、各画像の変化率を示す情報量を検出し、当該検出された画像データの変化率を示す情報量のレベルをレベル情報としてビート密度データと同様に経過時間に表示部２２１表示するようになる。例えば、ＭＰＥＧ方式の動画像データを用いる場合には、自らの画像のみで完全なフレーム画像を再生することができる特性を有するＩピクチャー（intra-coded picture：イントラ符号化画像）における画像データの情報量のレベルを時間経過に伴うレベル情報として表示部２２１に表示するようなる。すなわち、画像データにおいて、場面（シーン）の転換が生じた位置は、画像の変化率を示す情報量は多くなるので、当該情報量のレベル情報によって場面の先頭の画像を特定することができるようになっている。また、リングバッファメモリＲＢＭには、再生データとしてＭＥＰＧ方式の画像データが記憶されるようになる。したがって、この場合には、光ディスク再生装置は、動画像データを再生する際に、または、動画像データを編集する際に、動画像データを連続的に再生する際の再生装置として用いられ、音楽データを再生するときと同様に、光ディスクの回転速度をユーザが操作することによって再生する機能、または、特定の音楽データのデータ部分を繰り返し再生する機能などの特殊再生を行う特殊再生装置として使用することが可能である。
【０１６２】
また、参照形態の可動制御部２２３は、入力された経過時刻データに基づいて可動操作子ＭＦが可動する操作領域ＯＦの位置を算出するとともに、ユーザの操作によりスライドされた可動操作子ＭＦの操作領域ＯＦ内における任意の位置に基づいて移動量を算出し、当該算出された移動量に基づいて再生時刻を算出するようになっているが、当該操作領域ＯＦの内部に一定間隔毎のメモリを設け、可動制御部２２３がコンテンツデータの時間長に基づいて各メモリに対して再生時刻を割り当てることによって再生時刻の特定または可動操作子ＭＦのスライド動作の制御を行うようにしてもよい。
【０１６３】
また、参照形態の光ディスク再生装置１００では、ビート密度データその他のデータを表示するための表示部２２１が当該光ディスク再生装置１００内部に設けられているが、当該表示部２２１のみ外部装置として接続されていてもよい。
【０１６４】
〔実施形態〕
次に、図９〜図１１を用いて光ディスクの再生を行う光ディスク再生装置の実施形態について説明する。
【０１６５】
本実施形態の光ディスク再生装置は、参照形態の再生時刻特定操作部において、動作制御可能な可動操作子に代えて、接触式可動操作子であるタッチセンシング機能を有するタッチパネル（タッチパッドともいう。また、以下、位置指定操作子という。）を用いた点に特徴があり、その他の構成は参照形態の同様であり、同一の部材には同一の番号を付与して説明を省略する。
【０１６６】
まず、図９を用いて本実施形態の再生時刻特定操作部の構成について説明する。なお、図９は、本実施形態の再生時刻特定操作部の構成を示すブロック図である。
【０１６７】
本実施形態の再生時刻特定操作部５００は、図９に示すように、表示部５０２と、表示制御部２２２と、表示部５０２におけるビート密度データを表示する表示領域に並設され、コンテンツデータの再生を任意の時刻から開始するための開始時刻を特定する際に用いられる位置指定操作子ＴＤと、コンテンツデータ全体の時間長を可動操作子ＭＦの操作領域ＯＦに対応付けるとともに、位置指定操作子ＴＤによって任意の位置が指定された際に、当該指定された位置に基づいて再生時刻を特定する再生時刻特定部５０１と、を有している。
【０１６８】
なお、例えば、本実施形態の表示部５０２は、本発明の表示手段を構成し、表示制御部２２２は、本発明の表示制御手段を構成する。また、例えば、本実施形態の位置指定操作子ＴＤは、本発明の操作部を構成する。
【０１６９】
位置指定操作子ＴＤは、ビート密度表示エリアＡ１に隣接して配設されるとともに、所定の操作領域ＯＦ内における任意の位置を指定することができるようになっており、表示部５０２に表示されたビート密度データに対応した再生時刻を指定することができるようになっている。この位置指定操作子ＴＤは、ビート密度表示エリアＡ１の一端部に並設されている端部と、ビート密度表示エリアＡ１の他端部に並設されている他端部と、を有する操作領域ＯＦ内の任意の位置を指定することができるようになっている。
【０１７０】
具体的には、位置指定操作子ＴＤは、操作領域ＯＦ内に平面構造を有し、表面にユーザの指が接触されたときに、当該ユーザの指が接触された位置を指定位置として認識することができるようになっており、認識された位置の情報（以下、位置情報という。）を再生時刻特定部５０１に出力するようになっている。
【０１７１】
例えば、本実施形態の位置指定操作子ＴＤは、リボンコントローラから形成されるようになっており、リボンコントローラにおいてユーザの指が接触している位置の認識を行うようになっている。
【０１７２】
なお、位置指定操作子ＴＤは、ユーザが位置指定操作子ＴＤに接触された際に、ユーザの指Ｆが連続的に異なる位置に接触されたことを認識した場合には、ユーザの指が最終的に非接触となった位置を位置情報として再生時刻特定部５０１に出力するようになっている。
【０１７３】
再生時刻特定部５０１には、位置指定操作子ＴＤから出力された位置情報と、ビート密度解析部３００から出力されたコンテンツデータ全体のビート密度データが入力されるようになっている。また、この再生時刻特定部５０１は、入力されたビート密度データによって示されるコンテンツデータの時間長に位置指定操作子ＴＤにおける操作領域ＯＦを対応させるとともに、入力された位置情報に基づいて再生すべきコンテンツデータの再生時刻を特定し、当該算出された再生時刻を再生時刻データとしてビート密度解析部３００、オーディオ編集部２００およびオーディオ信号生成部２１０に出力するようになっている。
【０１７４】
具体的には、再生時刻特定部５０１は、操作領域ＯＦに設定された開始時刻および終了時刻からの可動操作子ＭＦの移動量と操作領域ＯＦの長さと、入力された位置情報に基づいてコンテンツデータの再生時刻を算出し、当該算出された再生時刻を再生時刻データとしてビート密度解析部３００、オーディオ編集部２００およびオーディオ信号生成部２１０に出力するようになっている。
【０１７５】
なお、ユーザが位置指定操作子ＴＤの操作領域ＯＦと、ビート密度表示エリアＡ１に表示されるビート密度とを対比すれば、現時点からどの位の時間が経過すると、楽曲の「サビ」の部分など、再生中の音楽の特徴部分が再生されることになるのかという視覚的な判断を容易に行うことができるようになっている。
【０１７６】
また、ビート密度解析部３００、オーディオ編集部２００およびオーディオ信号生成部２１０は、参照形態と同様に、再生時刻設定部から出力された再生時刻データに基づいて再生データの読み出し、および、再生処理を行うようになっている。
【０１７７】
表示部５０２は、液晶表示素子からなる複数の表示領域を有しており、図９に示すように、ビート密度データを表示するビート密度表示エリアＡ１と、システム制御部２６０から出力されたＴＯＣデータから抽出された再生されているコンテンツデータのトラック番号および光ディスクに記録されているトラック数を表示する関連情報表示エリアＡ２と、コンテンツデータの再生中に視覚的に当該コンテンツデータの全体の再生時間に対する再生時刻を示す再生時刻エリアＡ３と、が設けられている。
【０１７８】
本実施形態では、ビート密度表示エリアＡ１には、参照形態と同様に、予め定められた時間長を有するコンテンツデータの横軸を経過トラック時刻、縦軸をビート密度として、経過トラック時刻毎の個々のビート密度を縦方向の棒グラフ状にビート密度データが表示されるようになっている。
【０１７９】
また、関連表示エリアＡ２には、参照形態と同様に、再生中の音楽が記録されているトラック番号の表示と、現時点での経過トラック時刻をデジタル表示する数値表示と、光ディスク１０に記録されている全楽曲数を示す総トラック数の表示がなされるようになっている。
【０１８０】
さらに、再生時刻エリアＡ３には、コンテンツデータの再生中に、当該コンテンツデータの全体の時間における再生時刻を示す表示が為されるとともに、当該コンテンツデータの再生中に、位置指定操作子ＴＤが操作され、再生開始が指示された場合に、すなわち、ユーザの指が非接触になった場合に、当該ユーザの指に対応した再生時刻を示す表示が為されるようになっている。
【０１８１】
次に、図１０および図１１を用いて、本実施形態のシステム制御部２６０における操作子の操作に基づく再生処理について説明する。
【０１８２】
なお、図１０および図１１は、本実施形態のシステム制御部２６０における操作子の操作に基づく再生処理の動作を示すフローチャートである。
【０１８３】
また、本動作では、既に、特定の光ディスク１０が光ディスク再生装置１００に装填されているものとし、再生時刻が操作部によって特定された後の再生は、コンテンツデータのデータ構成順に順次再生処理を行うものとして説明する。
【０１８４】
さらに、再生の対象となるコンテンツデータのパックデータＰＤは、リングバッファメモリＲＢＭに予め全て格納されているものとする。
【０１８５】
まず、操作入力部２３０によって光ディスク１０に記録されている任意のコンテンツデータの再生の旨が入力され、システム制御部２６０が、当該コンテンツデータの再生指示を検出すると（ステップＳ３１）、当該システム制御部２６０は、ピックアップ１１０、スピンドルモータ１３０その他を制御して光ディスク１０から当該コンテンツデータのコントロールデータおよび再生データを読み出させる（ステップＳ３２）。
【０１８６】
次いで、システム制御部２６０は、コントロールデータデコード部１８０に読み出させたコントロールデータからサブコードデータを抽出させるとともに、ビート密度解析部３００にサブコードデータおよび再生データに基づいてコンテンツデータのビート密度を解析させ、ビート密度データを生成する（ステップＳ３３）。
【０１８７】
具体的には、ビート密度解析部３００は、参照形態と同様に、入力されたサブコードデータと再生データとを対応づけて所定のデータ構造から成るパックデータＰＤを生成し、当該生成されたパックデータＰＤをリングバッファメモリＲＢＭに記憶させるとともに、当該生成されたパックデータＰＤからビット密度データを生成する。
【０１８８】
次いで、システム制御部２６０は、表示制御部２２２を制御し、サブコードデータに基づいて表示部５０２に抽出されたコンテンツデータの関連情報を表示させるとともに、生成されたビート密度データに基づいてコンテンツデータ全体のビート密度を表示部５０２に表示させる（ステップＳ３４）。
【０１８９】
次いで、システム制御部２６０は、再生時刻特定部５０１を制御してビート密度データによって示されるコンテンツデータの時間長を位置指定操作子ＴＤの操作領域ＯＦに設定するとともに、コンテンツデータの再生可能な状態になったことユーザに告知し、コンテンツデータの再生開始の旨の入力を待機する（ステップＳ３５）。
【０１９０】
なお、本実施形態では、例えば、再生時刻特定部５０１は、操作領域ＯＦの端部にコンテンツデータの最初に再生される再生時刻を設定し、当該操作領域ＯＦの他端部にコンテンツデータの再生時間長を示す再生時刻を設定することによって、コンテンツデータの時間長を位置指定操作子ＴＤの操作領域ＯＦに設定する。
【０１９１】
次いで、ジョグダイヤルなどの操作入力部２３０の操作により、任意の時刻からの再生の開始が指示され、システム制御部２６０がこの指示を検出すると（ステップＳ３６）、当該システム制御部２６０は、この操作入力部２３０の操作指示に基づいて、ビート密度解析部３００、オーディオ編集部２００およびオーディオ信号生成部２１０を制御して、特定された再生時刻からコンテンツデータを再生させる（ステップＳ３７）。
【０１９２】
具体的には、参照形態と同様に、操作入力部２３０によってコンテンツデータの再生を開始させる再生時刻が特定されると、ビート密度解析部３００は、リングバッファメモリＲＢＭから当該再生時刻に該当するパックデータＰＤを読み出し、当該読み出されたパックデータＰＤの再生データオーディオ編集部２００およびオーディオ信号生成部２１０に出力し、スピーカなどの外部装置を鳴動させる。また、表示制御部２２２は、コンテンツデータの再生時の経過時間など、入力されたサブコードデータに基づいて、コンテンツデータの関連情報を表示部５０２に表示を開始させる。
【０１９３】
次いで、システム制御部２６０は、ビート密度解析部３００、オーディオ編集部２００およびオーディオ信号生成部２１０を制御してコンテンツデータの再生処理、および、表示部５０２にコンテンツデータの関連情報を表示部５０２に表示する表示処理を行う（ステップＳ３８）。
【０１９４】
具体的には、システム制御部２６０は、読み出しアドレスコントローラ３０３がアドレス順に順次リングバッファからパックデータＰＤを読み出させ、オーディオ編集部２００およびオーディ信号生成部において当該パックデータＰＤの再生データに対して所定の処理を行いスピーカなどの外部装置を鳴動させる。また、システム制御部２６０は、リングバッファメモリＲＢＭから読み出されたパックデータＰＤにおけるサブコードデータに基づいて表示部５０２に関連情報を順次表示させる。
【０１９５】
次いで、システム制御部２６０は、ユーザによって操作入力部２３０を介して再生停止が入力されたか否かを検出し、および、リングバッファメモリＲＢＭにおける再生すべきパックデータＰＤの有無を検出し、コンテンツデータの再生停止を判断する（ステップＳ３９）。
【０１９６】
このとき、システム制御部２６０に操作部を介して再生停止の旨が入力された場合、または、リングバッファメモリＲＢＭにおける再生すべきパックデータＰＤが無いことを検出した場合には、システム制御部２６０は本動作を終了させる。
【０１９７】
一方、システム制御部２６０に操作部を介して再生停止の旨が入力されず、および、リングバッファメモリＲＢＭにおける再生すべきパックデータＰＤが有ると判断した場合には、システム制御部２６０は、再生時刻特定部５０１に位置指定操作子ＴＤにおけるユーザの接触の有無を判断させる（ステップＳ４０）。
【０１９８】
具体的には、再生時刻特定部５０１は、位置指定操作子ＴＤから位置情報が入力されたか否かを検出することによって、ユーザの接触の有無を判断する。また、このとき、再生時刻特定部５０１が、位置指定操作子ＴＤに接触していないと判断した場合には、システム制御部２６０は、ステップＳ３８の処理に移行する。
【０１９９】
他方、再生時刻特定部５０１が、位置指定操作子ＴＤに接触していると判断した場合には、システム制御部２６０は、当該再生時刻特定部５０１に、位置指定操作子ＴＤから入力された位置情報に基づいて、位置指定操作子ＴＤの操作領域ＯＦ内の位置に対応する再生時刻を算出させ、当該算出させた再生時刻を再生時刻データとし各部に出力させる（ステップＳ４１）。
【０２００】
次いで、システム制御部２６０は、算出された再生時刻データに基づいてビート密度解析部３００、オーディオ編集部２００およびオーディオ信号生成部２１０を制御して当該再生時刻データによって示される再生時刻にコンテンツデータの再生をスキップさせ、ステップＳ３８の処理に移行させる（ステップＳ４２）。
【０２０１】
具体的には、ビート密度解析部３００は、リングバッファメモリＲＢＭから当該再生時刻に該当するパックデータＰＤを読み出すとともに、当該読み出されたパックデータＰＤの再生データオーディオ編集部２００およびオーディオ信号生成部２１０に出力し、スピーカなどの外部装置を鳴動させる。
【０２０２】
次いで、システム制御部２６０は、表示制御部２２２を制御してコンテンツデータの再生時の経過時間など、入力されたサブコードデータに基づいて表示部５０２におけるコンテンツデータの関連情報を更新させる（ステップＳ４３）。
【０２０３】
以上本実施形態によれば、光ディスク再生装置１００は、予め定められた時間長を有するコンテンツデータの再生を行う光ディスク再生装置１００であって、コンテンツデータと当該コンテンツデータを再生する際の時間経過を示すサブコードデータ（時間経過情報）を光ディスク１０から取得するコントロールデータデコード部１８０およびオーディオデータデコード部１６０と、取得されたコンテンツデータおよびサブコードデータに基づいて当該コンテンツデータの再生時における時間経過に伴う情報量の変化を解析するビート密度解析部３００と、取得されたコンテンツデータ全体における解析された当該コンテンツデータの時間経過に伴う情報量の変化をレベル情報として表示部５０２に表示させる表示制御部２２２と、ユーザが直接接触することが可能であるとともに所定の操作領域ＯＦ内にて当該ユーザの操作に伴って直接可動する位置指定操作子ＴＤであって、取得されたコンテンツデータの再生を任意の時刻から開始するための開始時刻を特定する際に用いられる当該位置指定操作子ＴＤを有する再生時刻特定操作部５００と、可動操作子ＭＦによって特定された開始時刻からコンテンツデータの再生を実行させるシステム制御部２６０と、を備える構成を有している。
【０２０４】
この構成により、本実施形態の光ディスク再生装置１００は、ユーザが位置指定操作子ＴＤを操作することによって、当該操作領域ＯＦ内の各操作位置にコンテンツデータのサブコードデータによって示される各時刻が特定されれば、当該特定された再生時刻からコンテンツデータが再生される。
【０２０５】
したがって、本実施形態の光ディスク再生装置１００は、ビート密度データが表示される表示領域に対応付けられて可動操作子ＭＦを可動することができるので、再生中のコンテンツデータの特徴部分を視覚的に把握することができ、かつ、再生すべきコンテンツデータの再生時刻を的確に特定することができる。この結果、本実施形態の光ディスク再生装置１００は、直接的に、かつ、直感的に、ユーザが所望する再生時刻を指定することができるとともに、当該再生時刻を指定する操作を容易に行うことができる。
【０２０６】
また、本実施形態の光ディスク再生装置１００は、表示部５０２がコンテンツデータ全体のレベル情報を同時に表示するビート密度表示エリアＡ１を有し、再生時刻特定操作部５００が、レベル情報のビート密度表示エリアＡ１に対応した操作領域ＯＦ内を可動する可動操作子ＭＦを有する構成をしている。
【０２０７】
この構成により、本実施形態の光ディスク再生装置１００は、コンテンツデータ全体のビート密度データが表示される表示領域に対応付けられて可動操作子ＭＦを可動することができるので、再生中の音楽の特徴部分を視覚的に把握することができ、かつ、再生すべきコンテンツデータの再生時刻を的確に特定することができる。
【０２０８】
また、本実施形態の光ディスク再生装置１００は、再生時刻特定操作部５００が、ビート密度表示エリアＡ１の一端部に並設される端部と、ビート密度表示エリアＡ１の他端部に並設されている他端部と、を備える操作領域ＯＦを有する構成している。
【０２０９】
この構成により、本実施形態の光ディスク再生装置１００は、ビート密度表示エリアＡ１と再生時刻特定操作部５００の操作領域ＯＦが並設されるとともに、ビート密度データが表示される表示領域に対応付けられて可動操作子ＭＦを可動することができるので、再生中の音楽の特徴部分を視覚的に把握することができ、かつ、再生すべきコンテンツデータの再生時刻を的確に特定することができる。
【０２１０】
また、本実施形態の光ディスク再生装置１００は、コンテンツデータの時間長を位置指定操作子ＴＤの操作領域ＯＦＯＦに対応付けるとともに、当該操作領域ＯＦＯＦ内の各操作位置にコンテンツデータの再生時刻を特定する再生時刻特定部５０１を更に有し、ユーザが位置指定操作子ＴＤを可動させることによって操作領域ＯＦＯＦ内の任意の位置を特定した場合に、再生時刻特定部５０１が、接触された操作領域ＯＦＯＦの位置に基づいてコンテンツデータの時間経過情報によって示される各時刻を特定する構成を有している。
【０２１１】
この構成により、本実施形態の光ディスク再生装置１００は、再生中のコンテンツデータの特徴部分を視覚的に把握することができ、かつ、再生すべきコンテンツデータの再生時刻を的確に特定することができる。
【０２１２】
なお、システム制御部２６０は、メモリカード格納部２５０に挿入されたメモリカード２０との間でデータの授受を行い、更に、操作部を介して入力されたユーザの指Ｆ示信号に基づいて、所定のデータを取得してビート密度解析、可動操作子ＭＦの制御を行うようにしてもよい。
【０２１３】
この場合には、メモリカード２０内には、コンテンツデータのＴＯＣデータ他のコントロールデータおよび既に解析されたビート密度データが格納されており、当該コントロールデータおよびビート密度データを用いて、上述の操作子の操作に基づく再生処理を行うようになる。ただし、この場合であっても、リングバッファメモリＲＢＭには、装填された光ディスク１０から読み出されて生成されたパックデータＰＤが記憶されるようになる。
【０２１４】
また、本実施形態では、音楽データの特殊再生を行う特殊再生装置として、すなわち、コンテンツデータに楽曲のデータを用い、ビート密度データの表示領域と可動操作子ＭＦの操作領域ＯＦを対応させることによって、再生処理を行う光ディスク再生装置として説明したが、動画像データにおける操作子の操作に基づく再生処理を行う光ディスク再生装置としても適用することができる。
【０２１５】
この場合には、ビート密度データに代えて、動画像データを構成する各画像データにおいて、各画像の変化率を示す情報量を検出し、当該検出された画像データの変化率を示す情報量のレベルをレベル情報としてビート密度データと同様に経過時間に表示部５０２表示するようになる。例えば、ＭＰＥＧ方式の動画像データを用いる場合には、自らの画像のみで完全なフレーム画像を再生することができる特性を有するＩピクチャー（intra-coded picture：イントラ符号化画像）における画像データの情報量のレベルを時間経過に伴うレベル情報として表示部５０２に表示するようなる。すなわち、画像データにおいて、場面（シーン）の転換が生じた位置は、画像の変化率を示す情報量は多くなるので、当該情報量のレベル情報によって場面の先頭の画像を特定することができるようになっている。また、リングバッファメモリＲＢＭには、再生データとしてＭＥＰＧ方式の画像データが記憶されるようになる。したがって、この場合には、光ディスク再生装置は、動画像データを再生する際に、または、動画像データを編集する際に、動画像データを連続的に再生する際の再生装置として用いられ、音楽データを再生するときと同様に、光ディスクの回転速度をユーザが操作することによって再生する機能、または、特定の音楽データのデータ部分を繰り返し再生する機能などの特殊再生を行う特殊再生装置として使用することが可能である。
【０２１６】
また、本実施形態の光ディスク再生装置１００では、ビート密度データその他のデータを表示するための表示部５０２が当該光ディスク再生装置１００内部に設けられているが、当該表示部５０２のみ外部装置として接続されていてもよい。
【０２１７】
また、本実施形態では、位置指定操作子ＴＤの位置指定を認識するためにのみ用いているが、コンテンツデータの再生中におよびユーザの指Ｆが接触している際に、当該位置指定操作子ＴＤに再生中におけるコンテンツデータの経過時刻またはユーザの指Ｆが接触している位置を示す表示を行うようにしてもよい。
【図１】
2010033709.tif 000003
【図２】
2010033709.tif 000004
【図３】
2010033709.tif 000005
【図４】
2010033709.tif 000006
【図５】
2010033709.tif 000007
【図６】
2010033709.tif 000008
【図７】
2010033709.tif 000009
【図８】
2010033709.tif 000010
【図９】
2010033709.tif 000011
【図１０】
2010033709.tif 000012
【図１１】
2010033709.tif 000013